(57)【要約】【目的】ＳＥＣＡＭ方式の受信において、弱電界時やノイズなどの厳しい劣化条件で精度の高いアイデント信号を検出し、復調できるＳＥＣＡＭカラー信号処理回路を提供する。【構成】色副搬送波信号のＲ−Ｙ信号成分、Ｂ−Ｙ信号成分を示す周波数成分からアイデント情報である周波数成分検出結果Ｓ２０４を検出する符号検出回路２０４に加え、あらたに水平同期信号Ｓ１２１を供給して、該水平同期信号Ｓ１２１が入力されるたびに反転を繰り返す擬似アイデント信号Ｓ２０５を生成するとともに、後段の反転指示生成回路２１６から出力される制御信号Ｓ２１４によって、生成した擬似アイデント信号Ｓ２０５を制御してアイデント信号Ｓ１０６を生成するアイデント信号生成回路２１５と、前記アイデント信号Ｓ１０６と前記符号検出回路からの周波数成分検出結果Ｓ２０４とが一致するか否かを判別する一致判別回路２０９とを備える。【選択図】  図２
2005252483.tif 000002
【特許請求の範囲】
【請求項１】
ＳＥＣＡＭ方式の色副搬送波信号を受信して、該色副搬送波信号からＲ−Ｙ信号成分とＢ−Ｙ信号成分を識別するためのアイデント信号を検出するアイデント信号検出回路において、
前記ＳＥＣＡＭ方式の色副搬送波信号から得られる前記Ｒ−Ｙ信号成分及びＢ−Ｙ信号成分の色信号区間を示すバーストゲートパルス信号が検出されている間の、該ＳＥＣＡＭ方式の色副搬送波信号の周波数成分が、中心周波数より高いか低いかを検出する符号検出回路と、
水平同期信号が入力されるたびに反転を繰り返すフリップフロップを含み、該フリップフロップからの出力と、後段の反転指示生成回路から出力される、該フリップフロップからの出力の反転を指示する制御信号とを論理演算した出力を、前記アイデント信号として出力するアイデント信号生成回路と、
前記水平同期信号の周期で、前記符号検出回路から出力される信号と前記アイデント信号生成回路から出力される前記アイデント信号とが一致しているか否かを判別する一致判別回路と、
前記一致判別回路の判別結果に応じてアップダウンカウントするアップダウンカウンタを含み、前記符号検出回路から出力される信号と前記アイデント信号生成回路から出力される前記アイデント信号との一致、不一致状態に応じて、前記アイデント信号生成回路から出力される前記アイデント信号の反転を指示する制御信号を出力する反転指示生成回路と、を備えた、
ことを特徴とするアイデント信号検出回路。
【請求項２】
請求項１に記載のアイデント信号検出回路において、
前記反転指示生成回路は、
前記一致判別回路の判別結果が連続して一致状態である場合は、前記制御信号を出力せず、
前記判別結果が一致状態、不一致状態を交互に連続して繰り返す場合は、前記制御信号を出力し、
前記判別結果が連続して不一致状態である場合は、前記制御信号を前記水平同期信号の１周期分出力する、
ことを特徴とするアイデント信号検出回路。
【請求項３】
請求項１に記載のアイデント信号検出回路において、
前記反転指示生成回路に垂直同期信号を入力し、前記アップダウンカウンタにて該垂直同期期間に入力される前記水平同期信号の数をカウントし、
そのカウント値が予め設定された値を超えるまでは、前記制御信号を出力しない、
ことを特徴とするアイデント信号検出回路。
【請求項４】
ＳＥＣＡＭ方式の色副搬送波信号からＲ−Ｙ信号成分とＢ−Ｙ信号成分とを交互に出力する際に水平同期信号の１周期分遅延させる１Ｈ遅延回路と、
前記請求項１ないし請求項３のいずれかに記載のアイデント信号検出回路と、
前記ＳＥＣＡＭ方式の色副搬送波信号と、前記１Ｈ遅延回路から出力される信号と、前記アイデント信号検出回路から出力されるアイデント信号とから、前記Ｒ−Ｙ信号成分とＢ−Ｙ信号成分を同時に出力するラインスイッチ制御回路と、
前記アイデント信号の制御の下、前記Ｒ−Ｙ信号成分及びＢ−Ｙ信号成分を復調するＲ−Ｙ復調回路及びＢ−Ｙ復調回路と、
前記アイデント信号検出回路から出力される前記アイデント信号を用いて、前記Ｒ−Ｙ復調回路及びＢ−Ｙ復調回路の復調処理を制御するキラー信号を生成するキラー回路と、を備える、
ことを特徴とするＳＥＣＡＭカラー信号処理回路。
【発明の詳細な説明】
【技術分野】
【０００１】
本発明はＳＥＣＡＭ（セカム）方式のアナログテレビジョンシステムのカラー信号処理に用いられるアイデント信号検出回路、及び該アイデント信号検出回路を用いたカラー信号処理回路に関する。
【背景技術】
【０００２】
アナログテレビ方式は地域によってその伝送方式が異なっており、ＮＴＳＣ方式、ＰＡＬ方式、ＳＥＣＡＭ方式が実用されている。どの方式においても輝度信号と色副搬送波信号とを重ねて伝送することは同じであるが、色副搬送波信号の生成方法に違いがある。具体的に述べると、ＮＴＳＣ方式やＰＡＬ方式の場合は、色副搬送波信号を直角２相変調にてＲ−Ｙ信号、Ｂ−Ｙ信号を同時に伝送しているのに対し、ＳＥＣＡＭ方式の場合は、色副搬送波信号をＦＭ変調し、１水平同期期間毎にＲ−Ｙ信号、Ｂ−Ｙ信号を１走査線毎に順次伝送している。そのため、ＳＥＣＡＭ方式における色副搬送波信号は、Ｒ−Ｙ信号のラインとＢ−Ｙ信号のラインを識別させるためにＤＲ信号、ＤＢ信号をもっている。ＤＲ信号、ＤＢ信号は中心周波数が以下のように定められている。
ＤＲ：４．４０６ＭＨｚ
ＤＢ：４．２５０ＭＨｚ
【０００３】
そして、前述のような伝送方式をとるＳＥＣＡＭ方式では、ＮＴＳＣ方式やＰＡＬ方式に比べて、伝送系のひずみに対して最も安定したＲ−Ｙ信号、Ｂ−Ｙ信号を受信して復調することができるため、クロストークは発生しない。
【０００４】
以下、図１０及び図１１を用いて、従来のＳＥＣＡＭ方式のカラー信号処理回路について説明する。図１０は従来のＳＥＣＡＭカラー信号処理回路の構成を示す図であり、図１１は従来のＳＥＣＡＭカラー信号処理回路の各部から出力される信号波形図である。
【０００５】
図１０において、６０１は色副搬送波信号Ｓ６０１が入力される入力端子であり、６０２は該入力端子６０１からの色副搬送波信号Ｓ６０１に含まれるＤＲ信号、ＤＢ信号を検出して、その各信号の検出期間のみＨレベルとなるバーストベートパルス信号Ｓ６０２を生成するバースト信号生成回路であり、６０３は色副搬送波信号Ｓ６０１が色成分を有していれば色副搬送波信号Ｓ６０１をそのまま出力し、一方、色副搬送波信号Ｓ６０１に色成分が無い白黒信号であれば該色副搬送波信号Ｓ６０１に付随するノイズ信号を駆除するキラー回路６０３である。そして、６０４は前記キラー回路６０３からの出力信号Ｓ６０３を１水平同期期間（以下、「１Ｈ」と称す。）分遅延させる１Ｈ遅延回路であり、６０６はラインスイッチ制御回路６０５を制御するアイデント信号Ｓ６０６を生成するものである。６０５は前記キラー回路６０３からの出力信号Ｓ６０３と、前記１Ｈ遅延回路６０４からの出力Ｓ６０４とを、前記アイデント信号Ｓ６０６に基づいてＲ−Ｙ信号成分を常に後段のＲ−Ｙ復調回路６０７に、Ｂ−Ｙ信号成分を常にＢ−Ｙ復調回路６０８に出力するようにするラインスイッチ制御回路であり、６０９，６１０は前記Ｒ−Ｙ復調回路６０７及びＢ−Ｙ復調回路６０８で復調された信号Ｓ６０７，Ｓ６０８を出力する出力端子である。
【０００６】
次に、このような構成を有する従来のＳＥＣＡＭカラー信号処理回路の動作について、図１１を参照しながら説明する。
【０００７】
まず、入力端子６０１に色副搬送波信号Ｓ６０１が入力されると、色副搬送波信号Ｓ６０１はバースト信号生成回路６０２に入力されると共に、キラー回路６０３に入力される。
【０００８】
バースト信号生成回路６０２では、色副搬送波信号Ｓ６０１に含まれるＤＲ信号、ＤＢ信号を検出し、その各ＤＲ，ＤＢ信号の検出期間のみＨレベルを出力するバーストゲートパルス信号Ｓ６０２を生成する。このバーストゲートパルス信号Ｓ６０２は、色副搬送波信号Ｓ６０１の色成分の有無を検出することを目的とするものであるため、該信号Ｓ６０２によって、入力された色副搬送波信号Ｓ６０１が、Ｒ−Ｙ信号のラインであるかＢ−Ｙ信号のラインであるかは識別できない。
【０００９】
そして、前記入力端子６０１からの色副搬送波信号Ｓ６０１、及び前記バースト信号生成回路６０２からのバーストゲートパルス信号Ｓ６０２はキラー回路６０３に入力され、該キラー回路６０３において、前記バーストゲートパルス信号Ｓ６０２に基づいて、色副搬送波信号Ｓ６０１の色成分の有無を判定し、該色副搬送波信号Ｓ６０１に色成分がない（すなわち白黒放送）と判定した場合は、前記色副搬送波信号Ｓ６０１に付随したノイズ信号を取り除いて映像表示装置に映し出されるときに色ノイズが発生しないように制御し、一方前記色副搬送波信号Ｓ６０１に色成分があると判定した場合は、該色副搬送波信号Ｓ６０１をそのまま出力して後段の処理をおこなう。
【００１０】
前記キラー回路６０３から出力されたキラー処理後の色副搬送波信号Ｓ６０３は、ラインスイッチ制御回路６０５の一方の端子に供給されると共に、１Ｈ遅延回路６０４を介して１Ｈ分遅延された後、該ラインスイッチ制御回路６０５の他方の入力端子に供給される。ここで、前記１Ｈ遅延回路６０４にてキラー処理後の色副搬送波信号Ｓ６０３を１Ｈ分遅延させるのは、１Ｈ毎に伝送されてくるＲ−Ｙ信号成分とＢ−Ｙ信号成分とを、同時に復調処理するためであり、この処理によって同じ１Ｈ内においてＲ−Ｙ信号成分とＢ−Ｙ信号成分とを映像表示装置に映し出すことができる。
【００１１】
さらに、前記キラー回路６０３から出力された色副搬送波信号Ｓ６０３と、前記バーストゲートパルス信号Ｓ６０２は、アイデント信号検出回路６０６に供給される。そして、アイデント信号検出回路６０６において、前記信号Ｓ６０３，Ｓ６０２より、前記ラインスイッチ制御回路６０５の出力を制御してＲ−Ｙ信号成分を常にＲ−Ｙ信号復調回路６０７に、Ｂ−Ｙ信号成分を常にＢ−Ｙ信号復調回路６０８に導くアイデント信号Ｓ６０６を生成する。
【００１２】
ここで、前記アイデント信号Ｓ６０６の生成方法についてさらに詳しく説明する。
アイデント信号Ｓ６０６は、キラー回路６０３からの色副搬送波信号Ｓ６０３に含まれているＤＲ信号、ＤＢ信号の各々の周波数成分から識別することで生成する。具体的には、前記アイデント信号検出回路６０６に供給されるバーストゲートパルス信号Ｓ６０２がＨレベルである期間、つまりＤＲ信号、ＤＢ信号が存在している期間の、前記色副搬送波信号Ｓ６０３の周波数成分を判定し、該周波数成分がＲ−Ｙ信号成分であるか、Ｂ−Ｙ信号成分であるか識別する。
【００１３】
そして、この周波数成分の判定は、ＤＲ信号が４．４０６ＭＨｚ、ＤＢ信号が４．２５０ＭＨｚであることを利用し、これらの信号の中心周波数４．３２８ＭＨｚ（＝（ＤＲ＋ＤＢ）／２）より、入力される色副搬送波信号Ｓ６０３の周波数成分が＋（プラス）か、−（マイナス）かを判別する正負判別をおこなうことで、アイデント信号Ｓ６０４を検出する。すなわち、色副搬送波信号Ｓ６０３の周波数成分が＋（プラス）であればＲ−Ｙ信号成分を意味し、該周波数成分が−（マイナス）であればＢ−Ｙ信号成分であることを意味する。
【００１４】
そして、以上のようにして得られたアイデント信号Ｓ６０６に基づいて、ラインスイッチ制御回路６０５を制御し、該ラインスイッチ制御回路６０５に入力されるキラー処理後の色副搬送波信号Ｓ６０３、及び１Ｈ遅延回路６０４からの出力Ｓ６０４のいずれか一方をＲ−Ｙ復調回路６０７に、またもう一方をＢ−Ｙ復調回路６０８に出力するように制御する。これにより、出力端子６０９、６１０からは同時に復調されたＲ−Ｙ信号Ｓ６０７とＢ−Ｙ信号Ｓ６０８が出力される。
【００１５】
以上の回路構成により、１水平期間毎に、Ｒ−Ｙ信号とＢ−Ｙ信号とを同時に復調することが可能になり、また白黒放送の色副搬送波信号Ｓ６０１に対しても、キラー制御することが可能となる。
【特許文献１】特許第２７８６６８６号
【特許文献２】特開平３−９１３９０号公報
【特許文献３】特開平７−１７０５３２号公報
【発明の開示】
【発明が解決しようとする課題】
【００１６】
しかしながら前述したような構成の場合、次のような課題がある。
第１に、従来での構成では、アイデント信号検出回路６０６においてアイデント信号Ｓ６０６を検出する際、色副搬送波信号Ｓ６０３に含まれるＤＲ信号、ＤＢ信号の周波数を誤って識別すると、復調後のＲ−Ｙ信号、Ｂ−Ｙ信号の成分が映像表示装置にて再現できないという問題がある。
【００１７】
すなわち、森林地区などの、弱電界やノイズなど厳しい条件下において、ＳＥＣＡＭ方式のテレビジョン放送をテレビ等の映像表示装置に表示するためには、前述のＳＥＣＡＭカラー信号処理回路にて、色副搬送波信号Ｓ６０１を正確に受信して該信号に含まれるＲ−Ｙ信号、Ｂ−Ｙ信号の成分を正確に再現する必要があり、このとき、前記アイデント信号検出回路６０６においてアイデント信号Ｓ６０６を誤って生成してしまうと、該アイデント信号Ｓ６０６により制御されるラインスイッチ制御回路６０５において、誤った信号をＲ−Ｙ復調回路６０７及びＢ−Ｙ復調回路６０８に出力してしまい、該各復調回路６０７，６０８では信号を正確に復調できないために、映像の色画質を劣化させて、色区分の明瞭性を欠如させ、前記映像表示装置の画面上に色横引きノイズが現れる結果となる。
【００１８】
第２に、近年のビデオデコーダーやＤＶＤ装置などのメディアの垂直帰線期間に挿入されているコピーガードパルスによって、アイデント信号Ｓ６０６が誤って生成されてしまうという問題がある。
【００１９】
すなわち、色副搬送波信号Ｓ６０１の復調は、バーストゲートパルス信号Ｓ６０２を基準に処理が行われるものであるが、メディア内に前記コピーガードパルスが挿入されていると、当該カラー信号処理回路の前段の同期分離回路で、入力されてくる映像信号から垂直同期信号と水平同期信号とを分離するときに誤動作を起こし、色副搬送波信号Ｓ６０１からバーストゲートパルス信号Ｓ６０２を生成する際、該バーストゲートパルス信号Ｓ６０２の存在するタイミングを誤って検出してしまうことがある。そして、このバーストゲートパルス信号Ｓ６０２の誤検出が、色副搬送波信号Ｓ６０１に含まれるアイデント情報の誤検出の原因となる可能性はきわめて高い。このことを回避するため、メディア内にコピーガードパルスが挿入されている場合には、該コピーガードパルスにより前記バーストゲートパルス信号Ｓ６０２の存在のタイミングを誤って検出しないように、当該信号処理回路内に、さらに対策回路を設けることが必要となる。
【００２０】
第３に、伝送方式がＳＥＣＡＭ方式とＰＡＬ方式の信号が混信する地域において、ＳＥＣＡＭカラー信号処理回路でＰＡＬ方式の信号を受信した場合、信号を正しく復調できないという問題がある。
【００２１】
すなわち、従来技術におけるＳＥＣＡＭカラー信号処理回路において、ＰＡＬ方式の色副搬送波信号が供給された場合、ＳＥＣＡＭ方式とＰＡＬ方式とでは、該色副搬送波信号の変調方法及び復調方法が異なるため、ＰＡＬ方式の色副搬送波信号を復調する際にはキラー制御を行う必要がある。しかしながら、従来技術におけるＳＥＣＡＭカラー信号処理回路では、受信した色副搬送波信号Ｓ６０１が色成分を有さない白黒放送である場合は、前述した方法によりキラー回路６０３でキラー制御を行うことができるが、ＰＡＬ方式の色副搬送波信号が供給された場合は、該ＰＡＬ方式の色副搬送波信号にもバーストゲートパルス信号が存在するため、キラー回路６０３においてキラー制御をすることができない。そのため、ＳＥＣＡＭカラー信号処理回路にＰＡＬ方式の色副搬送波信号が供給された場合に復調処理をおこなわないように制御する対策回路を、当該信号処理回路内に設ける必要がある。
【００２２】
本発明は、前述した課題を解決するためになされたものであり、比較的簡単な回路を追加するのみで、ＳＥＣＡＭカラー信号のアイデント信号をより正確に、且つ安定して検出することが可能なアイデント信号検出回路、及び該アイデント信号検出回路を利用したＳＥＣＡＭカラー信号復調回路を提供することを目的とする。
【課題を解決するための手段】
【００２３】
本発明にかかるアイデント信号検出回路は、ＳＥＣＡＭ方式の色副搬送波信号を受信して、該色副搬送波信号からＲ−Ｙ信号成分とＢ−Ｙ信号成分を識別するためのアイデント信号を検出するアイデント信号検出回路において、前記ＳＥＣＡＭ方式の色副搬送波信号から得られる前記Ｒ−Ｙ信号成分及びＢ−Ｙ信号成分の色信号区間を示すバーストゲートパルス信号が検出されている間の、該ＳＥＣＡＭ方式の色副搬送波信号の周波数成分が、中心周波数より高いか低いかを検出する符号検出回路と、水平同期信号が入力されるたびに反転を繰り返すフリップフロップを含み、該フリップフロップからの出力と、後段の反転指示生成回路から出力される、該フリップフロップからの出力の反転を指示する制御信号とを論理演算した出力を、前記アイデント信号として出力するアイデント信号生成回路と、前記水平同期信号の周期で、前記符号検出回路から出力される信号と前記アイデント信号生成回路から出力される前記アイデント信号とが一致しているか否かを判別する一致判別回路と、前記一致判別回路の判別結果に応じてアップダウンカウントするアップダウンカウンタを含み、前記符号検出回路から出力される信号と前記アイデント信号生成回路から出力される前記アイデント信号との一致、不一致状態に応じて、前記アイデント信号生成回路から出力される前記アイデント信号の反転を指示する制御信号を出力する反転指示生成回路と、を備えたものである。
【００２４】
これにより、ＳＥＣＡＭ方式の受信において安定的に精度の高いアイデント信号を検出することができ、この結果、弱電界時などの厳しい劣化条件でもテレビ受像装置の画面上に色横引きノイズなどを発生させずに安定に復調することができる。
【００２５】
また、本発明にかかるアイデント信号検出回路は、前記反転指示生成回路は、前記一致判別回路の判別結果が連続して一致状態である場合は、前記制御信号を出力せず、前記判別結果が一致状態、不一致状態を交互に連続して繰り返す場合は、前記制御信号を出力し、前記判別結果が連続して不一致状態である場合は、前記制御信号を前記水平同期信号の１周期分出力するものである。
【００２６】
これにより、ＳＥＣＡＭ方式の受信において安定的に精度の高いアイデント信号を検出することができる。
【００２７】
また、本発明のアイデント信号検出回路は、前記反転指示生成回路に垂直同期信号を入力し、前記アップダウンカウンタにて該垂直同期期間に入力される前記水平同期信号の数をカウントし、そのカウント値が予め設定された値を超えるまでは、前記制御信号を出力しないものである。
【００２８】
これにより、コピーガードパルスの影響を除外したタイミングにてアイデント信号検出回路を動作させることが可能になる。
【００２９】
また、本発明にかかるＳＥＣＡＭカラー信号処理装置は、ＳＥＣＡＭ方式の色副搬送波信号からＲ−Ｙ信号成分とＢ−Ｙ信号成分とを交互に出力する際に水平同期信号の１周期分遅延させる１Ｈ遅延回路と、前記請求項１ないし請求項３のいずれかに記載のアイデント信号検出回路と、前記ＳＥＣＡＭ方式の色副搬送波信号と、前記１Ｈ遅延回路から出力される信号と、前記アイデント信号検出回路から出力されるアイデント信号とから、前記Ｒ−Ｙ信号成分とＢ−Ｙ信号成分を同時に出力するラインスイッチ制御回路と、前記アイデント信号の制御の下、前記Ｒ−Ｙ信号成分及びＢ−Ｙ信号成分を復調するＲ−Ｙ復調回路及びＢ−Ｙ復調回路と、前記アイデント信号検出回路から出力される前記アイデント信号を用いて、前記Ｒ−Ｙ復調回路及びＢ−Ｙ復調回路の復調処理を制御するキラー信号を生成するキラー回路と、を備えるものである。
【００３０】
これにより、ＳＥＣＡＭ方式やＰＡＬ方式の信号が混信する地域においても、ＳＥＣＡＭカラー信号を復調でき、誤ってＰＡＬ信号を受信した場合においても、キラー信号により復調処理を制御できる。
【発明の効果】
【００３１】
本発明のアイデント信号検出回路によれば、水平同期信号を入力するようにして、該水平同期信号からアイデント信号を生成し、一致判別回路において、該アイデント信号と、符号検出回路からの検出結果とが一致するか否かを判別し、該判別結果の一致、不一致状態に応じて、前記アイデント信号の反転を指示する制御信号を出力するようにしたので、安定的に符号検出回路で検出される信号と一致する、正確なアイデント信号を安定して供給することができ、この結果、弱電界時やノイズがひどい場合などの厳しい劣化条件でも、テレビ受像装置の受信、復調処理が可能となる。
【００３２】
また、本発明のアイデント信号検出回路によれば、垂直同期信号を入力するようにしたので、ＳＥＣＡＭ方式やＰＡＬ方式の信号が混信する地域においても、ＳＥＣＡＭカラー信号を復調でき、誤ってＰＡＬ信号を受信した場合においても、キラー信号により復調処理を制御できる。
【００３３】
また、本発明のＳＥＣＡＭカラー信号処理回路によれば、ＳＥＣＡＭ方式やＰＡＬ方式の信号が混信する地域においても、ＳＥＣＡＭカラー信号を復調でき、誤ってＰＡＬ信号を受信した場合においても、キラー信号により復調処理を制御できる。
【発明を実施するための最良の形態】
【００３４】
（実施の形態１）
以下、本実施の形態１にかかるＳＥＣＡＭカラー信号処理回路について説明する。
本実施の形態１のＳＥＣＡＭカラー信号処理回路は、従来と同様にして前記バーストゲートパルス信号がＨレベルの間の色副搬送波信号の周波数成分を検出するのに加え、アイデント信号検出回路に水平同期信号を入力して、該水平同期信号からアイデント信号を生成し、該アイデント信号と前記周波数成分とが一致するか否かを判別し、該判別結果に基づいて前記アイデント信号の生成を制御することで、該アイデント信号を正確に且つ安定して得られるようにするものである。
【００３５】
まず、図１〜図３を用いて、本実施の形態１にかかるＳＥＣＡＭカラー信号処理回路の構成について説明する。
図１は、本実施の形態１におけるＳＥＣＡＭカラー信号処理回路の構成を示す図であり、図２は、本実施の形態１のＳＥＣＡＭカラー信号処理回路におけるアイデント信号検出回路の詳細な構成を示す図であり、図３は、本実施の形態１のＳＥＣＡＭカラー信号処理回路におけるキラー回路の構成を示す図である。
【００３６】
図１に示すように、本実施の形態１のＳＥＣＡＭカラー信号処理回路１００は、色副搬送波信号Ｓ１０１が入力される入力端子１０１と、水平同期信号Ｓ１２１を入力する入力端子１２１と、バーストゲートパルス信号Ｓ１０２を生成するバースト信号生成回路１０２と、前記色副搬送波信号Ｓ１０１を１Ｈ遅延させる１Ｈ遅延回路１０４と、前記色副搬送波信号Ｓ１０１と前記ＩＨ遅延させた色副搬送波信号のどちらか一方をＲ−Ｙ復調回路に、またもう一方をＢ−Ｙ復調回路に出力するよう制御するラインスイッチ制御回路１０５と、アイデント信号を検出するアイデント信号検出回路１０６と、Ｒ−Ｙ信号成分及びＢ−Ｙ信号成分を前記アイデント信号に基づいて復調するＲ−Ｙ復調回路１０７及びＢ−Ｙ復調回路１０８と、前記アイデント信号に基づいて該各復調回路１０７，１０８での復調動作を制御するキラー回路１３０と、出力端子１０９，１１０とからなる。
【００３７】
以下、前記アイデント信号検出回路１０６及びキラー回路１３０の詳細な構成を、図２及び図３を用いて説明する。
まず、前記アイデント信号検出回路１０６は、図２に示すように、水平同期信号Ｓ１２１、バーストゲートパルス信号Ｓ１０２、及び色副搬波信号Ｓ１０１それぞれが入力される入力端子２０１，２０２，２０３と、従来と同様にして前記バーストゲートパルス信号Ｓ１０２がＨレベルのときの前記色副搬送波信号Ｓ１０１の周波数成分を検出し、その周波数成分が中心周波数より高いか低いかを示す検出結果（以下、「周波数成分検出結果」と称す。）Ｓ２０４を出力する符号検出回路２０４と、水平同期信号Ｓ１２１をフリップフロップ２０５にて１Ｈ毎に反転させることで擬似アイデント信号Ｓ２０５を生成し、該擬似アイデント信号Ｓ２０５を、後段の反転指示生成回路２１６から出力される制御信号Ｓ２１４で制御して、アイデント信号Ｓ１０６を生成するアイデント信号生成回路２１５と、前記符号検出回路２０４から出力される周波数成分検出結果Ｓ２０４と、前記アイデント信号生成回路２１５から出力されるアイデント信号Ｓ１０６とが一致しているか否かを判別する一致判別回路２０９と、該一致判別回路２０９から出力される判別結果Ｓ２０９を１Ｈごとにカウントしていき、該カウント値Ｓ２１０に基づいて、前記アイデント信号生成回路２１５に対して制御信号Ｓ２１４を出力する反転指示生成回路２１６と、前記アイデント信号Ｓ１０６が出力される出力端子２１７と、からなる。
【００３８】
詳細に述べると、前記符号検出回路２０４は、従来と同様にして、バーストゲートパルス信号Ｓ１０２及び色副搬送波信号Ｓ１０１を用い、該バーストゲートパルス信号Ｓ１０２がＨレベルである期間、つまりＤＲ信号、ＤＢ信号が存在している期間の、色副搬送波信号Ｓ１０１の周波数成分の検出を行い、周波数成分検出結果Ｓ２０４を出力する。
【００３９】
具体的には、ＤＲ信号が４．４０６ＭＨｚ、ＤＢ信号が４．２５０ＭＨｚであることを利用し、これらの信号の中心周波数４．３２８ＭＨｚ（＝（ＤＲ＋ＤＢ）／２）より、入力される色副搬送波信号Ｓ１０１の周波数成分が＋（プラス）か、−（マイナス）かを判別する正負判別をおこなう。このようにすれば、符号検出回路２０４において、色副搬送波信号Ｓ１０１における周波数成分が＋（プラス）であればＲ−Ｙ信号成分を意味し、−（マイナス）であればＢ−Ｙ信号成分であることを意味するアイデント情報が検出できる。なお、ここでは、周波数成分検出結果Ｓ２０４として、周波数成分が＋（プラス）であれば“１”、周波数成分が−（マイナス）であれば“０”を出力するものとする。
【００４０】
また、前記アイデント信号生成回路２１５は、水平同期信号Ｓ１２１が入力されるたびに反転を繰り返すフリップフロップ２０５，２０６と、水平同期信号Ｓ１２１と前記反転指示生成回路２１６からの制御信号Ｓ２１４とを論理演算するＡＮＤゲート２０７と、前記フリップフロップ２０５，２０６の出力を論理演算するＥＯＲゲート２０８とで構成されており、前記フリップフロップ２０５にて水平同期信号Ｓ１２１より生成された擬似アイデント信号Ｓ２０５と、前記水平同期信号Ｓ１２１と前記反転指示生成回路２１６からの制御信号Ｓ２１４とをＡＮＤゲート２０７にて論理演算した演算結果Ｓ２０６とを、ＥＯＲゲート２０８にてさらに論理演算し、該演算結果をアイデント信号Ｓ１０６として出力する。なお、前記アイデント信号生成回路２１５にて生成されるアイデント信号Ｓ１０６が“１”であればＲ−Ｙ信号成分を意味し、“０”であればＢ−Ｙ信号成分を意味するものとする。さらに、一般的に、ＳＥＣＡＭ方式の映像信号ではＲ−Ｙ信号成分から伝送されるものであるため、前記アイデント信号Ｓ１０６を生成する際には、フリップフロップ２０５において最初にＲ−Ｙ信号成分を意味する“１”が出力されるようにする。
【００４１】
そして、前記一致判別回路２０９は、前記符号検出回路２０４からの周波数成分検出結果Ｓ２０４と前記アイデント信号生成回路２１５からのアイデント信号Ｓ１０６とを論理演算するＥＯＲゲートで構成され、該論理演算結果を判別結果Ｓ２０９として出力する。ここでは、前記判別結果Ｓ２０９として、前記アイデント信号Ｓ１０６と前記周波数成分検出結果Ｓ２０４とが一致する場合は“０”が出力され、不一致の場合は“１”が出力される。
【００４２】
さらに、前記反転指示生成回路２１６は、前記一致判別回路２０９から出力される判別結果Ｓ２０９に応じて累積加算、累積減算するアップダウンカウンタ２１０と、該アップダウンカウンタ２１０から出力されるカウント値Ｓ２１０と、出力されたカウント値と、そのひとつ前のカウント値との差分をとる差分検出回路２１１と、該差分検出回路２１１からの出力値Ｓ２１１が一定値を保たない連続回数を検出し、該回数が予め設定されたある値を超えると信号を出力する第１のリミッタ検出回路２１２と、前記アップダウンカウンタ２１０から出力されるカウント値Ｓ２１０が予め設定された値以上になったときに１Ｈ分だけ信号を出力する第２のリミッタ検出回路２１３と、前記第１，第２のリミッタ検出回路２１２，２１３からの出力を論理演算し、該演算結果を制御信号Ｓ２１４として出力するＯＲ回路２１４とで構成され、ここでは、前記判別結果Ｓ２０９として一致状態を示す“０”が入力されると前記アップダウンカウンタ２１０にて累積減算していき、不一致状態を示す“１”が入力されると累積加算し、前記第１，第２のリミッタ検出回路２１２，２１３からは、それぞれあらかじめ設定された値より大きくなると“１”を出力するものとする。
【００４３】
このように、前記反転指示生成回路２１６では、アップダウンカウンタ２１０、第１，第２のリミッタ検出回路２１２，Ｓ２１３が、符号検出回路２０４で検出される信号とＥＯＲゲート２０８から出力される信号との不一致状態が予め定めた所定の回数累積した場合に、前記アイデント信号生成信号２１５が出力されるアイデント信号Ｓ１０６の反転を指示する制御信号Ｓ２１４を出力するようにし、符号検出回路２０４にて検出した周波数成分検出結果Ｓ２０４と、水平同期信号Ｓ１２１から生成したアイデント信号Ｓ１０６とを一致させるように動作させて、符号検出回路２０４で検出される情報と一致したアイデント信号Ｓ１０６を安定して供給することが可能となる。
【００４４】
次に、前記キラー回路１３０は、図３に示すように、アイデント信号Ｓ１０６が入力される入力端子１３１と、水平同期信号Ｓ１２１が入力される入力端子１３２と、該アイデント信号Ｓ１０６を１Ｈシフトさせるフリップフロップ１３３と、該１Ｈシフトさせたアイデント信号Ｓ１３３をさらに１Ｈシフトさせるフリップフロップ１３４と、該フリップフロップ１３３，１３４の出力Ｓ１３３，Ｓ１３４を論理演算するＥＮＯＲ回路１３５とからなり、前記アイデント信号Ｓ１０６から復調回路１０７，１０８の復調処理動作を制御するキラー信号Ｓ１３５を生成する。
【００４５】
以下、前述したような構成を有するＳＥＣＡＭ信号処理回路１００の動作について、図４及び図５を用いて説明する。図４は、本実施の形態１にかかるキラー回路の各部から出力される信号波形図であり、また、図５は、本実施の形態１にかかるアイデント信号検出回路の各部から出力される信号波形図であって、図５（ａ）は、一致判別回路から出力される判別結果が連続して一致状態である場合を示し、図５（ｂ）は、一致判別回路から出力される判別結果が、一致、不一致状態と交互に連続する場合を示し、図５（ｃ）は、一致判別回路から出力される判別結果が連続して不一致状態である場合を示している。
【００４６】
まず、色副搬送波信号Ｓ１０１及び水平同期信号Ｓ１２１が、それぞれ入力端子１０１，１２１に入力されると、色副搬送波信号Ｓ１０１は、バースト信号生成回路１０２に入力される。
【００４７】
前記バースト信号生成回路１０２では、色副搬送波信号Ｓ１０１に含まれるＤＲ信号、ＤＢ信号を検出し、各ＤＲ，ＤＢ信号の検出期間のみＨレベルを出力するバーストゲートパルス信号Ｓ１０２を生成して出力する。
【００４８】
前記色副搬送波信号Ｓ１０１は、ラインスイッチ制御回路１０５の一方の端子に供給されると共に、１Ｈ遅延回路１０４を介して１Ｈ分遅延された後、該ラインスイッチ制御回路１０５の他方の入力端子に供給される。ここで、前記１Ｈ遅延回路１０４にて色副搬送波信号Ｓ１０１を１Ｈ分遅延させるのは、１Ｈ毎に伝送されてくるＲ−Ｙ信号成分とＢ−Ｙ信号成分とを、同時に復調処理するためであり、この処理によって同じ１Ｈ内においてＲ−Ｙ信号成分とＢ−Ｙ信号成分とを映像表示装置に映し出すことができる。
【００４９】
一方、前記色副搬送波信号Ｓ１０１は、前記バーストゲートパルス信号Ｓ１０２と、入力端子１２１から入力される水平同期信号Ｓ１２１と共に、アイデント信号検出回路１０６に供給される。そして、アイデント信号検出回路１０６において、前記信号Ｓ１０１，Ｓ１０２，Ｓ１２１により、前記ラインスイッチ制御回路１０５の出力を制御して、Ｒ−Ｙ信号成分を常にＲ−Ｙ信号復調回路１０７に、Ｂ−Ｙ信号成分を常にＢ−Ｙ信号復調回路１０８に導くアイデント信号Ｓ１０６を生成する。これにより出力端子１０９、１１０からは、適切に復調されたＲ−Ｙ信号Ｓ１０７及びＢ−Ｙ信号Ｓ１０８とを同時に出力することができる。
【００５０】
さらに、前記アイデント信号Ｓ１０６は、キラー回路１３０にも出力される。前記キラー回路１３０には、アイデント信号Ｓ１０６に加えて、水平同期信号Ｓ１２１も入力され、該水平同期信号Ｓ１２１が入力される毎に、前記アイデント信号Ｓ１０６を１Ｈシフトした信号Ｓ１３３と、２Ｈシフトした信号Ｓ１３４とを、ＥＮＯＲゲート１３５にて論理演算し、その論理演算結果であるキラー信号Ｓ１３５により前記Ｒ−Ｙ復調回路１０７及びＢ−Ｙ復調回路１０８の復調処理動作を制御し、該キラー信号Ｓ１３５が“０”のときは色信号があると判断して復調処理動作を行い、“１”のときは色成分がないもの（白黒放送である）と判断させて、復調処理動作を停止させ、映像表示装置の画面上で色ノイズが発生しないようにする。
【００５１】
ここで、前記アイデント信号検出回路１０６から出力されるアイデント信号Ｓ１０６の検出について、図５を参照しながら詳細に説明する。
まず、入力端子２０２，２０３にそれぞれ入力されたバーストゲートパルス信号Ｓ１０２及び色副搬送波信号Ｓ１０１は、符号検出回路２０４に入力され、該符号検出回路２０４にて、前記バーストゲートパルス信号Ｓ１０２がＨレベルである期間、つまりＤＲ信号、ＤＢ信号が存在している期間の、色副搬送波信号Ｓ１０１の周波数成分の検出を前述したようにして行い、周波数成分検出結果Ｓ２０４を出力する。
【００５２】
従来においては、この周波数成分検出結果Ｓ２０４をアイデント信号として使用し、ラインスイッチ制御回路の制御を行っていたが、弱電界時などの厳しい条件のときには、そのアイデント検出を誤ってしまうことがあり（例えば、図５（ｂ）参照）、結果として、テレビ受像機の画面上に色横引きノイズが現れることになってしまう。そのため、本実施の形態１のＳＥＣＡＭカラー信号復調回路１００では、前記アイデント信号をより正確に安定して得るため、前記アイデント信号生成回路２１５にて、フリップフロップ２０５で水平同期信号Ｓ１２１が入力されるたびに信号を反転させて擬似アイデント信号Ｓ２０５を生成し、さらに該擬似アイデント信号Ｓ２０５と、後段の反転指示生成回路２１６から出力される制御信号Ｓ２１４に基づいてフリップフロップ２０６から出力される信号Ｓ２０６とで論理演算した結果を、アイデント信号Ｓ１０６として出力する。そして、このアイデント信号Ｓ１０６と、前記符号検出回路２０４にて検出された周波数成分検出結果Ｓ２０４とが一致するか否かを一致判別回路２０９にて判別し、該判別結果Ｓ２０９を前記反転指示生成回路２１６に出力して、該判別結果Ｓ２０９より前記制御信号Ｓ２１４を生成するようにして、該判別結果Ｓ２０９がフィードバックされるようになっている。
【００５３】
以下、前記アイデント信号検出回路の動作を、３つのケースにわけて具体的に説明する。
まず、１つ目のケースとして、前記一致判別回路２０９において、前記周波数成分検出結果Ｓ２０４と、アイデント信号Ｓ１０６とが常に一致する（判別結果Ｓ２０９＝“０”）場合を、図５（ａ）を参照しながら説明する。
【００５４】
１つ目のケース、すなわち前記判別結果Ｓ２０９が一致状態である場合は、水平同期信号Ｓ１２１より生成されるアイデント信号Ｓ１０６が正しいことを意味するため、該アイデント信号Ｓ１０６を反転させる必要がない。従って、このような場合は、反転指示生成回路２１６は、反転を指示する制御信号Ｓ２１４を出力しない（制御信号Ｓ２１４=“０”）ようにする。
【００５５】
まず、前記一致判別回路２０９から出力される判別結果Ｓ２０９は、前記反転指示生成回路２１６に出力され、アップダウンカウンタ２１０にてカウントされていく。ここでは、判別結果Ｓ２０９として常に“０”が出力されるため、アップダウンカウンタ２１０からは累積減算したカウント値Ｓ２１０が出力される（図５（ａ）のＳ２１０参照）。
【００５６】
前記カウント値Ｓ２１０は、差分検出回路２１１に出力され、該カウント値と前記アップダウンカウンタ２１０から出力された１つ前のカウント値との差分値Ｓ２１１がとられる。そして、該差分値Ｓ２１１は第１のリミッタ検出回路２１２に入力され、当該回路２１２にて、差分値Ｓ２１１が一定値を保たない連続回数を検出し、その回数が予め設定された値に達すると“１”を出力する。ここでは、前記判別結果Ｓ２０９が常に“０”であるため、前記差分値Ｓ２１１は常に“−１”となるため（図５（ａ）のＳ２１１参照）、前記第１のリミッタ検出回路２１２からの信号Ｓ２１２は常に“０”である（図５（ａ）のＳ２１２参照）。
【００５７】
一方、前記カウント値Ｓ２１０は第２のリミッタ検出回路２１３にも出力され、当該回路２１３にて、前記カウント値Ｓ２１０が予め設定されたある値に達すると“１”を出力する。ここでは、前述したように、前記カウント値Ｓ２１０は累積減算されていくため、第２のリミッタ検出回路２１３に予め設定された値に達することはなく、“０”が出力される。
【００５８】
そして、前述の各リミッタ検出回路２１２，２１３からの出力はＯＲゲート２１４に出力されて論理演算され、該演算結果である制御信号Ｓ２１４が、前記アップダウンカウンタ２１０及び前記アイデント信号生成回路２１５に出力される。ここでは各リミッタ検出回路２１２，２１３からの出力が共に“０”であるため、前記制御信号Ｓ２１４が“０”となり（図５（ａ）のＳ２１４参照）、前記アイデント信号生成回路２１５に対しては、前記擬似アイデント信号Ｓ２０５を反転させる指示はでず、該アイデント信号生成回路２１５のＡＮＤゲート２０７には常に“０”が出力されるため、フリップフロップ２０６からは“０”が出力され（図５（ａ）のＳ２０６参照）、この結果、ＥＯＲゲート２０８から出力されるアイデント信号Ｓ１０６は、擬似アイデント信号Ｓ２０５と同じ信号が出力される（図５（ａ）のＳ１０６参照）。
【００５９】
次に、２つめのケースとして、前記一致判別回路２０９において、前記周波数成分検出結果Ｓ２０４と、アイデント信号Ｓ１０６とが一致、不一致状態を繰り返す（判別結果Ｓ２０９が“０”“１”“０”“１”…となる）場合を、図５（ｂ）を参照しながら説明する。
【００６０】
２つめのケース、すなわち前記判別結果Ｓ２０９が一致、不一致状態を繰り返すような場合は、前記符号検出回路２０４にて誤り検出がなされたことを意味する。従って、このような場合は、アイデント信号Ｓ１０６を“０”にして、後段のキラー回路１３０にて、各復調回路１０７，１０８で復調処理動作が停止されるようにする。
【００６１】
まず、前記一致判別回路２０９から出力される判別結果Ｓ２０９の値が“０”と“１”とを交互に出力し始めると（図５（ｂ）のＡ地点）、前記反転指示生成回路２１６のアップダウンカウンタ２１０からは、減算、加算が繰り返されたカウント値Ｓ２１０が出力される（図５（ｂ）のＳ２１０参照）。
【００６２】
前記カウント値Ｓ２１０は、差分検出回路２１１に出力され、該カウント値と前記アップダウンカウンタ２１０から出力された１つ前のカウント値との差分値Ｓ２１１がとられる。そして、該差分値Ｓ２１１は第１のリミッタ検出回路２１２に入力され、当該回路２１２にて、差分値Ｓ２１１が一定値を保たない連続回数を検出し、予め設定された値に達すると“１”を出力する。ここでは、前記判別結果Ｓ２０９が“０”と“１”とを連続して繰り返すため、前記差分値Ｓ２１１は“−１”と“１”とを交互に出力し（図５（ｂ）のＳ２１１参照）、前記第１のリミッタ検出回路２１２では、前記差分値Ｓ２１１の“−１”と“１”とを繰り返す回数が予め設定された回数に達すると（ここでは２回）、前記第１のリミッタ検出回路２１２からは“１”が出力される（図５（ｂ）のＳ２１２参照）。
【００６３】
一方、前記カウント値Ｓ２１０は第２のリミッタ検出回路２１３にも出力され、当該回路２１３にて、前記カウント値Ｓ２１０が予め設定されたある値に達すると“１”を出力する。ここでは、前述したように、前記カウント値Ｓ２１０は減算と加算とを繰り返すため、前記カウント値が前記第２のリミッタ検出回路２１３に予め設定された値に達することはないため、常に“０”が出力される。
【００６４】
そして、前述の各リミッタ検出回路２１２，２１３からの出力はＯＲゲート２１４に出力されて論理演算され、該演算結果である制御信号Ｓ２１４が、前記アップダウンカウンタ２１０及び前記アイデント信号生成回路２１５に出力される。ここでは、符号検出回路２０４から出力される周波数成分検出結果Ｓ２０４が誤検出されてからは、第１のリミッタ検出回路２１２の出力Ｓ２１２が“１”で、第２のリミッタ検出回路２１３からの出力Ｓ２１３が“０”であるため、前記制御信号Ｓ２１４は“１”となり（図５（ｂ）のＳ２１４参照）、前記反転指示生成回路２１６から前記アイデント信号生成回路２１５に対して、前記擬似アイデント信号Ｓ２０５を反転させる指示がでる。前記アイデント信号生成回路２１５では、ＡＮＤゲート２０７に常に“１”が出力されるため、フリップフロップ２０６からは前記フリップフロップ２０５からの擬似アイデント信号Ｓ２０５と同じ信号が出力されることとなり（図５（ｂ）のＳ２０６参照）、この結果、ＥＯＲゲート２０８から出力されるアイデント信号Ｓ１０６としては“０”を出力する（図５（ｂ）のＳ１０６参照）。そして、このようなアイデント信号Ｓ１０６を受信したキラー回路１３０は、キラー信号Ｓ１３５として“１”を出力するため、各復調回路１０７，１０８では復調処理動作が停止されることとなる。
【００６５】
３つめのケースとして、前記一致判別回路２０９において、前記周波数成分検出結果Ｓ２０４と、アイデント信号Ｓ１０６とが常に不一致状態となる（判別結果Ｓ２０９=“１”）場合を、図５（ｃ）を参照しながら説明する。
【００６６】
３つめのケース、すなわち前記判別結果Ｓ２０９が不一致状態である場合は、水平同期信号Ｓ１２１より生成されるアイデント信号Ｓ１０６と、前記符号検出回路２０４から出力される周波数成分検出結果Ｓ２０４とが、全く逆転していることを意味するため、アイデント信号Ｓ１０６を、前記符号検出回路２０４からの周波数成分検出結果Ｓ２０４と一致するように反転させる必要がある。従って、このような場合は、反転指示生成回路２１６から１Ｈ分だけ制御信号Ｓ２１４を出力させる（制御信号Ｓ２１４=“１”）ようにする。
【００６７】
まず、前記一致判別回路２０９から出力される判別結果Ｓ２０９は、前記反転指示生成回路２１６に出力され、アップダウンカウンタ２１０にてカウントされていく。ここでは、判別結果Ｓ２０９として常に“１”が出力されるため、アップダウンカウンタ２１０からは累積加算したカウント値Ｓ２１０が出力される（図５（ｃ）のＳ２１０参照）。
【００６８】
前記カウント値Ｓ２１０は、差分検出回路２１１に出力され、該カウント値と前記アップダウンカウンタ２１０から出力された１つ前のカウント値との差分値Ｓ２１１がとられる。そして、該差分値Ｓ２１１は第１のリミッタ検出回路２１２に入力され、当該回路２１２にて、差分値Ｓ２１１が一定値を保たない連続回数を検出し、その回数が予め設定された値に達すると“１”を出力する。ここでは、前記判別結果Ｓ２０９が常に“１”であるため、前記差分値Ｓ２１１も常に“１”となり（図５（ｃ）のＳ２１１参照）、前記第１のリミッタ検出回路２１２からの信号Ｓ２１２として“０”が出力される。
【００６９】
一方、前記カウント値Ｓ２１０は第２のリミッタ検出回路２１３にも出力され、当該回路２１３にて、該カウント値Ｓ２１０が予め設定された値に達すると“１”を出力する。ここでは、前記カウント値Ｓ２１０が累積加算されるものであるため、所定値（ここでは４）に達すると“１”が出力される（図５（ｃ）のＳ２１３参照）。
【００７０】
そして、前述の各リミッタ検出回路２１２，２１３からの出力はＯＲゲート２１４に出力されて論理演算され、該演算結果である制御信号Ｓ２１４が、前記アップダウンカウンタ２１０及び前記アイデント信号生成回路２１５に出力される。ここでは第１のリミッタ検出回路２１２からの出力Ｓ２１２が“０”、第２のリミッタ検出回路２１３からの出力Ｓ２１３が“１”であるため、前記制御信号Ｓ２１４は１Ｈ分だけ“１”を出力する（図５（ｃ）のＳ２１４参照）。前記アイデント信号生成回路２１５では、ＡＮＤゲート２０７に１Ｈ分“１”が出力されるため、フリップフロップ２０６からは、１Ｈ分“１”が出力され（図５（ｃ）のＳ２０６参照）、この１Ｈの制御信号Ｓ２１４が出力された以降は、ＥＯＲゲート２０８から、擬似アイデント信号Ｓ２０５を反転させた信号がアイデント信号Ｓ１０６として出力される（図５（ｃ）のＳ１０６参照）。
【００７１】
このように、本実施の形態１によれば、アイデント信号検出回路１０６内に、バーストゲートパルス信号Ｓ１０２と、色副搬送波信号Ｓ１０１とにより、該色副搬送波信号Ｓ１０１の周波数成分を検出して周波数成分検出結果Ｓ２０４を出力する符号検出回路２０４に加えて、アップダウンカウンタ２１０、差分検出回路２１１、第１，第２のリミッタ検出回路２１２，２１３、及びＯＲ回路２１４からなる反転指示生成回路２１６と、水平同期信号Ｓ１２１が入力される毎に反転をくりかえすフリップフロップ２０５，２０６及びＡＮＤゲート２０７及びＥＯＲゲート２０８とからなるアイデント信号生成回路２１５と、前記符号検出回路２０４から出力される従来のアイデント信号であった前記周波数成分検出結果Ｓ２０４と、前記保護アイデント信号検出回路から出力されるアイデント信号Ｓ１０６とが一致するか否かを検出する一致判別回路２０９とを備え、前記一致判別回路２０９からの判別結果Ｓ２０９の一致、不一致状態に応じて、前記アイデント信号生成回路２１５から出力されるアイデント信号Ｓ１０６の反転を指示する制御信号Ｓ２１４を出力するようにすることで、安定的に符号検出回路１０４で検出される信号と一致したアイデント信号Ｓ１０６を供給することができる。
【００７２】
また、本実施の形態１によれば、前述のようにして生成したアイデント信号Ｓ１０６を、キラー制御を行うキラー回路１３０に入力し、該アイデント信号Ｓ１０６を元に、復調処理動作を制御するキラー信号Ｓ１３５を生成するようにしたので、当該ＳＥＣＡＭカラー信号処理回路１００に入力された色副搬送波信号Ｓ１０１が色成分を有さない白黒放送である場合に色ノイズが発生しないよう制御できるのはもちろん、ＳＥＣＡＭ方式の色副搬送波信号でない信号が供給された場合であっても、キラー回路１３０において色ノイズが発生しないようキラー制御をすることが可能となる。この結果、ＳＥＣＡＭ方式やＰＡＬ方式の信号が混信する地域においても、ＳＥＣＡＭカラー信号を復調でき、誤ってＰＡＬ信号を受信した場合においても、キラー制御ができる。
【００７３】
（実施の形態２）
以下、本実施の形態２のＳＥＣＡＭカラー信号処理回路について説明する。
本実施の形態２においては、ＳＥＣＡＭカラー信号処理回路に、水平同期信号に加えて、垂直同期信号を入力するようにし、該垂直同期信号がイネーブルしている間は、反転指示生成回路から出力される制御信号によりアイデント信号の反転を行わないように制御して、該垂直帰線期間、あるいはその周辺期間に挿入されているコピーガードパルスの影響をうけない、より正確で安定したアイデント信号を得ることを可能とするものである。
【００７４】
まず、図６及び図７を用いて、本実施の形態２にかかるＳＥＣＡＭカラー信号処理回路の構成について説明する。図６は、本実施の形態２におけるＳＥＣＡＭカラー信号処理回路の構成を示す図であり、図７は、本実施の形態２のＳＥＣＡＭカラー信号処理回路におけるアイデント信号検出回路の詳細な構成を示す図である。
【００７５】
図６に示すように、本実施の形態２にかかるＳＥＣＡＭカラー信号処理回路３００は、色副搬送波信号Ｓ１０１及び水平同期信号Ｓ１２１が入力される入力端子１０１，１２１に加え、垂直同期信号Ｓ３０１が入力される入力端子３０１を備える。
【００７６】
そして、前記入力端子３０１から入力された垂直同期信号Ｓ３０１は、アイデント信号検出回路３０６に入力され、該アイデント信号検出回路３０６では、前記水平同期信号Ｓ１２１、バーストゲートパルス信号Ｓ１０２、及び垂直同期信号Ｓ３０１に基づいて、前記色副搬送波信号Ｓ１０１からアイデント信号Ｓ３０６を検出するものである。
【００７７】
以下詳細に説明すると、本実施の形態２のアイデント信号検出回路３０６は、図７に示されるように、水平同期信号Ｓ１２１、バーストゲートパルス信号Ｓ１０２、色副搬送波信号Ｓ１０１、及び垂直同期信号Ｓ３０１それぞれが入力される入力端子２０１，２０２，２０３，３０１と、従来と同様前記バーストゲートパルス信号Ｓ１０２がＨレベルのときの、前記色副搬送波信号Ｓ１０３の周波数成分が中心周波数より高いか低いかを示す周波数成分検出結果Ｓ２０４を出力する符号検出回路２０４と、アイデント信号生成回路４１５と、一致判別回路２０９と、反転指示生成回路４１６とから構成される。
【００７８】
ここで、近年、ビデオデコーダやＤＶＤ機器などのメディアにはコピーガードパルスが挿入されており、一般的に該コピーガードパルスは、垂直帰線期間に挿入されていることが多い（図８（ａ），（ｂ）参照）。そのため、垂直同期信号のイネーブル期間における符号検出回路から出力される周波数成分検出結果Ｓ２０４は信頼性が低いため、本実施の形態２の構成では、垂直同期信号のイネーブル期間には、反転指示生成回路４１６から出力される制御信号Ｓ２１４をアイデント信号生成回路２１５に入力させないようする。
【００７９】
具体的には、前記アイデント信号生成回路４１５は、前記実施の形態１の構成に加え、垂直同期信号Ｓ３０１が入力されている間は、フリップフロップ２０６を動作させない（Ｓ２０６=“０”）ようにするＮＯＴゲート４１７を更に設け、これにより、垂直同期信号Ｓ３０１がイネーブルしている期間は、フリップフロップ２０６を停止させることが可能となり、該垂直同期信号Ｓ３０１のイネーブル期間は、当該アイデント信号生成回路４１５から、水平同期信号Ｓ１２１のみに依存したアイデント信号Ｓ３０６、つまりフリップフロップ２０５からの擬似アイデント信号Ｓ２０５を出力させるようにする。
【００８０】
また前記反転指示生成回路４１６では、前記実施の形態１の構成に加え、垂直同期信号Ｓ３０１をアップダウンカウンタ４１０に供給し、該アップダウンカウンタ４１０において、垂直同期信号Ｓ３０１間に入力される水平同期信号Ｓ１２１の数をカウントし、該カウント値Ｓ４１８を予め設定された値を超えるまで、前記アップダウンカウンタ４１０からのカウント値Ｓ４１０を出力しないようにする第３のリミッタ検出回路４１８を設け、垂直同期信号Ｓ３０１がディスイネーブルした後であっても、コピーガードパルスなどの影響により同期が乱れやすいタイミングにおいては（図８（ｂ）のＢ期間参照）、第１，第２のリミッタ検出回路２１２，２１３が動作しないようにすることで、反転指示生成回路４１６からの制御信号Ｓ４１４の出力を停止するようにする。
【００８１】
このように、本実施の形態２においては、前記実施の形態１の構成に加え、前記アイデント信号生成回路４１５に垂直同期信号Ｓ３０１がイネーブルしている期間は、フリップフロップ２０６が動作しないようにするＮＯＴゲート４１７と、前記反転指示生成回路４１６に前記垂直同期信号が入力されてからある一定期間は、アップダウンカウンタ４１０からカウント値Ｓ４１０を出力しないようにして、第１，第２のリミッタ検出回路２１２，２１３が動作しないようにする第３のリミッタ検出回路４１８を設けるようにしたので、アイデント信号を生成する際に、垂直帰線期間に挿入されたコピーガードパルスの影響を受けないようにすることが可能となり、より正確で且つ安定したアイデント信号を出力することが可能となる。また、前述のようにして生成したアイデント信号Ｓ１０６を、キラー制御を行うキラー回路１３０に入力し、該アイデント信号Ｓ１０６を元に、復調処理動作を制御するキラー信号Ｓ１３５を生成するようにしたので、色副搬送波信号Ｓ１０１を復調回路１０７，１０８にて復調処理動作をする際に、当該ＳＥＣＡＭカラー信号処理回路３００に入力された色副搬送波信号Ｓ１０１が色成分を有さない白黒放送である場合に色ノイズが発生しないよう制御できるのはもちろん、ＳＥＣＡＭ方式の色副搬送波信号でない信号が供給された場合であっても、キラー回路１３０において色ノイズが発生しないようキラー制御をすることが可能となる。
【００８２】
なお、本実施の形態２においては、キラー回路１３０に水平同期信号Ｓ１２１を供給し、２つのフリップフロップから出力される信号の比較によって水平同期期間におけるキラー制御が可能であるが、さらに図９に示すように、垂直同期信号Ｓ３０１もキラー回路１３０に供給するようにすれば、垂直同期期間におけるキラー制御が可能となる。すなわちテレビ受信装置において、１画面ごとのキラー制御が可能となり、色区分をより明確化できる。
【産業上の利用可能性】
【００８３】
本発明のＳＥＣＡＭカラー信号処理回路は、森林地区などの、テレビジョン信号が弱電界やノイズなど厳しい条件下にある地域や、異なる方式の信号が混信する地域においても、正確なアイデント信号を安定して検出することができ、テレビ受像装置においてテレビジョン信号を正確に受信して、復調処理ができるものとして有用である。
【図面の簡単な説明】
【００８４】
【図１】本発明の実施の形態１におけるＳＥＣＡＭカラー信号処理回路の構成を示す図である。
【図２】本発明の実施の形態1におけるＳＥＣＡＭカラー信号処理回路のアイデント信号検出回路の構成を示す図である。
【図３】本発明の実施の形態１におけるＳＥＣＡＭカラー信号処理回路のキラー回路の構成を示す図である。
【図４】本発明の実施の形態１におけるキラー回路の各部から出力される信号波形図である。
【図５（ａ）】本発明の実施の形態１におけるＳＥＣＡＭカラー信号処理回路において、一致判別回路から出力される判別結果が連続して一致状態である場合の、アイデント信号検出回路の各部から出力される信号波形図である。
【図５（ｂ）】本発明の実施の形態１におけるＳＥＣＡＭカラー信号処理回路において、一致判別回路から出力される判別結果が、一致、不一致状態と交互に連続する場合の、アイデント信号検出回路の各部から出力される信号波形図である。
【図５（ｃ）】本発明の実施の形態１におけるＳＥＣＡＭカラー信号処理回路において一致判別回路から出力される判別結果が連続して不一致状態である場合の、アイデント信号検出回路の各部から出力される信号波形図である。
【図６】本発明の実施の形態２にかかるＳＥＣＡＭカラー信号処理回路の構成を示す図である。
【図７】本発明の実施の形態２におけるＳＥＣＡＭカラー信号処理回路のアイデント信号検出回路の構成を示す図である。
【図８（ａ）】本発明の実施の形態２におけるＳＥＣＡＭカラー信号処理回路に正常な映像信号が入力された場合の信号波形図である。
【図８（ｂ）】本発明の実施の形態２におけるＳＥＣＡＭカラー信号処理回路に、コピーガードパルスが含まれた映像信号が入力された場合の信号波形図である。
【図９】本発明の実施の形態２にかかるＳＥＣＡＭカラー信号処理回路の別の構成を示す図である。
【図１０】従来におけるＳＥＣＡＭカラー信号処理回路の構成を示す図である。
【図１１】従来におけるＳＥＣＡＭカラー信号処理回路の各部から出力される信号波形図である。
【符号の説明】
【００８５】
１００，３００，４００，６００  ＳＥＣＡＭカラー信号処理回路
１０１，１２１，１３１，１３２，２０１，２０２，２０３，３０１，６０１  入力端子
１０２，６０２  バースト信号生成回路
１０４，６０４  １Ｈ遅延回路
１０５，６０５  ラインスイッチ制御回路
１０６，３０６，６０６  アイデント信号検出回路
１０７，６０７  Ｒ−Ｙ復調回路
１０８，６０８  Ｂ−Ｙ復調回路
１０９，１１０，１３６，２１７，６０９，６１０  出力端子
１３０，６０３  キラー回路
１３５  ＥＮＯＲ回路
２０４  符号検出回路
２０５，２０６、１３３，１３４  フリップフロップ
２０７，４０７  ＡＮＤゲート
２０８  ＥＯＲゲート
２０９  一致判別回路
２１０，４１０  アップダウンカウンタ
２１１  差分検出回路
２１２  第１のリミッタ検出回路
２１３  第２のリミッタ検出回路
２１４  ＯＲゲート
２１５，４１５  アイデント信号生成回路
２１６，４１６  反転指示生成回路
４１７  ＮＯＴゲート
４１８  第３のリミッタ検出回路
【図１】
2005252483.tif 000003
【図２】
2005252483.tif 000004
【図３】
2005252483.tif 000005
【図４】
2005252483.tif 000006
【図５（ａ）】
2005252483.tif 000007
【図５（ｂ）】
2005252483.tif 000008
【図５（ｃ）】
2005252483.tif 000009
【図６】
2005252483.tif 000010
【図７】
2005252483.tif 000011
【図８（ａ）】
2005252483.tif 000012
【図８（ｂ）】
2005252483.tif 000013
【図９】
2005252483.tif 000014
【図１０】
2005252483.tif 000015
【図１１】
2005252483.tif 000016